(57)【要約】【課題】ブーツを立てた状態で保持しながら収納することができ、型崩れ及び皺の発生並びに擦れによる傷の発生を抑制しながら、ブーツを見栄えのよい状態で収納することができる履物収納具を提供する。【解決手段】棚１に、ブーツＢ１，Ｂ２の胴部Ｔを挿通可能な穴２を複数形成するとともに、棚１の前端縁に、穴２に繋がる、胴部Ｔを前後方向に出入可能な切欠部３を形成した。型崩れ及び皺の発生並びに擦れによる傷の発生を抑制しながら、ブーツＢ１，Ｂ２を立てた見栄えのよい状態で収納することができるとともに、棚１の切欠部３を通して、ブーツを容易に収納又は取り出すことができる。【選択図】図２
2010273760.tif 000002
【特許請求の範囲】
【請求項１】
履物を載置する棚を備えた履物収納具であって、
前記棚に、ブーツの胴部を挿通可能な穴を複数形成してなることを特徴とする履物収納具。
【請求項２】
前記棚の前端縁に、前記穴に繋がる、ブーツの胴部を前後方向に出入可能な切欠部を形成してなる請求項１記載の履物収納具。
【請求項３】
前記棚を上下複数備え、これら上下の棚に前記複数の穴又は前記複数の穴及び切欠部を平面視において略重なる位置に形成してなる請求項１又は２記載の履物収納具。
【発明の詳細な説明】
【技術分野】
【０００１】
本発明は、比較的多くの履物を収納するために使用される履物収納具に関するものである。
【背景技術】
【０００２】
履物を収納する収納具として、少なくとも底板、左右の側板、背板及び天板からなる収納箱内に履物を載置するための複数の棚を備えてなるシューズラック及び靴収納箱（例えば、特許文献１及び２参照。）、自立可能な枠体の内側に適当数の支軸をさし渡して支持枠を形成し、該支持枠に突設された軸体の先端を上方へ延ばして靴掛け部としてなる靴掛けスタンド（例えば、特許文献３参照。）等がある。
これらのような履物収納具によれば、これらを玄関等に備えることにより、場所を取らずに比較的多くの履物を収納することができる。
【先行技術文献】
【特許文献】
【０００３】
【特許文献１】登録実用新案第３０１２２３６号公報
【特許文献２】登録実用新案第３１０１１６１号公報
【特許文献３】実開平５−１８３２９号公報
【発明の概要】
【発明が解決しようとする課題】
【０００４】
近年、ロングブーツ及びハーフブーツ等の長さ並びに材質、色及びデザイン等の異なる多数のブーツを個人で所有している人、特に女性が増加しており、これらのブーツも履物収納具に収納される。
しかしながら、上述のような棚上に履物を載置する構成の履物収納具では、例えば棚上にブーツを寝かせた状態で重ねて置くことはできるものの、そのようにブーツを収納した際には収納効率が悪くなるとともに、ブーツに型崩れや皺が発生する場合や、ブーツ同士が擦れて傷つく場合がある。
また、上述のような靴掛け部に靴を掛ける構成の履物収納具では、ブーツを掛けると胴体部分から折れ曲がった状態で重力により垂れ下がるため、ブーツに型崩れや皺が発生する場合やブーツが軸体に擦れて傷つく場合があるとともに、ブーツを掛けた状態での見栄えが非常に悪くなる。
【０００５】
そこで本発明が前述の状況に鑑み、解決しようとするところは、ブーツを立てた状態で保持しながら収納することができ、型崩れ及び皺の発生並びに擦れによる傷の発生を抑制しながら、ブーツを見栄えのよい状態で収納することができる履物収納具を提供する点にある。
【課題を解決するための手段】
【０００６】
本発明に係る履物収納具は、前記課題解決のために、履物を載置する棚を備えた履物収納具であって、前記棚に、ブーツの胴部を挿通可能な穴を複数形成してなるものである。
【０００７】
ここで、前記棚の前端縁に、前記穴に繋がる、ブーツの胴部を前後方向に出入可能な切欠部を形成してなると好ましい。
【０００８】
また、前記棚を上下複数備え、これら上下の棚に前記複数の穴又は前記複数の穴及び切欠部を平面視において略重なる位置に形成してなると好ましい。
【発明の効果】
【０００９】
本発明に係る履物収納具によれば、履物を載置する棚を備えた履物収納具であって、前記棚に、ブーツの胴部を挿通可能な穴を複数形成してなるので、棚上に短靴等の比較的高さの低い履物を載置して収納することができるとともに、胴部を棚の穴に挿通したブーツを地面、床面若しくは底板上又は下側の棚上に置いて立てた状態で保持しながら収納することができる。
よって、型崩れ及び皺の発生並びに擦れによる傷の発生を抑制しながら、ブーツを立てた見栄えのよい状態で収納することができる。
【００１０】
また、前記棚の前端縁に、前記穴に繋がる、ブーツの胴部を前後方向に出入可能な切欠部を形成してなると、前記効果に加え、棚の切欠部を通してブーツの胴部を穴に入れることによりブーツを容易に収納することができるとともに、このように収納したブーツを、その胴部を棚の切欠部を通して前側へ引出すようにすることにより容易に取り出して履くことができる。
【００１１】
さらに、前記棚を上下複数備え、これら上下の棚に前記複数の穴又は前記複数の穴及び切欠部を平面視において略重なる位置に形成してなると、前記効果に加え、ロングブーツ及びハーフブーツ等の長さが異なるブーツを立てた状態で保持しながら収納することができるため、収納可能なブーツの種類を増やすことができるともに収納効率を向上することができる。
【図面の簡単な説明】
【００１２】
【図１】本発明の実施の形態に係る履物収納具を示す斜視図である。
【図２】履物を収納した状態の履物収納具を示す斜視図である。
【図３】棚のバリエーションを示す平面図であり、（ａ）は棚に形成する穴の形状を変えた構成を、（ｂ）は棚を板状とした構成を、（ｃ）は棚に切欠部を形成しない構成を示している。
【図４】本発明の実施の形態に係る別の履物収納具を示す斜視図である。
【発明を実施するための形態】
【００１３】
次に本発明の実施の形態を添付図面に基づき詳細に説明するが、本発明は、添付図面に示された形態に限定されず特許請求の範囲に記載の要件を満たす実施形態の全てを含むものである。
なお、本明細書においては、履物を収納するために棚にアクセスする側を前とし、奥側（壁側、背板側）を後とする。
【００１４】
図１及び図２に示す本発明の実施の形態に係る履物収納具Ａは、左右の立掛けフレーム４，４により上下３個の棚１，…の左右側面を挟持した状態で一体化されており、立掛けフレーム４，４の壁当て緩衝材４Ａ，４Ａを壁Ｗに当て、床当て緩衝材４Ｂ，４Ｂを床面ＦＬに接地させた状態で、棚１，…は略水平に保持される。
また、棚１には、ブーツの胴部Ｔを挿通可能な複数個（例えば本実施の形態では６個）の略楕円状の穴２，…が形成され、棚１の前端縁には、穴２，…に繋がる、ブーツの胴部Ｔを前後方向に出入可能な切欠部３，…が形成される。
さらに、上段、中段及び下段の棚１，…は同一形状であり、すなわち、上下の棚１，…の穴２，…及び切欠部３，…は平面視において略重なる位置に形成されている。
【００１５】
ここで、棚１は例えば鋼線又は鋼パイプ製であり、鋼線又は鋼パイプを折り曲げて形成される。また、立掛けフレーム４は例えば鋼パイプ製、緩衝材４Ａ，４Ｂは例えばゴム又は合成樹脂製である。そして、棚１，…は、その左右側面が立掛けフレーム４，４の左右内面に螺着又は溶着される。
【００１６】
図２に示す例のように、棚１，…の上には、短靴Ｓ、サンダル又は草履等の比較的高さの低い履物を載置して収納することができる。
また、例えばロングブーツＢ１を、そのブーツ底Ｂ，Ｂを床面ＦＬに接地させ床面ＦＬ上に置いた状態で、その胴部Ｔ，Ｔを下段及び中段の棚１，１の穴２，…に収納した状態で収納することができるとともに、例えばハーフブーツＢ２を床面ＦＬ上に置いた状態で、その胴部Ｔ，Ｔを下段の棚１の穴２，…に収納した状態で収納することができる。
なお、床面ＦＬ上ではなく、棚１上（例えば下段の棚１上）にブーツＢ１，Ｂ２を置くこともでき、床面ＦＬ上に短靴Ｓ等の比較的高さの低い履物を置くこともできる。
以上のようにブーツＢ１，Ｂ２の胴部Ｔを棚１の穴２に挿通して立てた状態で保持しながら収納することができるため、型崩れ及び皺の発生並びに擦れによる傷の発生を抑制しながら、見栄えのよい状態で収納することができる。
【００１７】
また、棚１，…の前端縁に前記切欠部３，…が形成されているため、切欠部３，…を通してブーツＢ１，Ｂ２の胴部Ｔ，…を穴２，…に入れることによりブーツＢ１，Ｂ２を容易に収納することができるとともに、このように収納したブーツＢ１，Ｂ２を、その胴部Ｔ，…を切欠部３，…を通して前側へ引出すようにすることにより容易に取り出して履くことができる。
さらに、上述のとおり上段、中段及び下段の棚１，…の穴２，…及び切欠部３，…が平面視において略重なる位置に形成されているため、ロングブーツＢ１及びハーフブーツＢ２等の長さ（高さ）が異なるブーツを立てた状態で保持しながら収納することができるため、収納可能なブーツの種類を増やすことができるともに収納効率を向上することができる。
【００１８】
さらにまた、棚１，…の切欠部３の幅（開口の幅）は、穴２の幅（左右方向の最大内径）及びブーツの胴部Ｔの幅よりも小さいことから、収納状態のブーツＢ１，Ｂ２の胴部Ｔ，…が前倒れして切欠部３，…から抜け出ることを抑制することができるため、履物収納具Ａにブーツを立てて収納した状態が安定する。
なお、ブーツの素材が非常に軟らかい場合には、履物収納具Ａにブーツを収納した状態で、該ブーツ内へ保形用部材を入れるようにしてもよい。
【００１９】
次に棚１のバリエーションについて説明する。
棚１の穴２の形状は、図１に示す楕円状ではなく、図３（ａ）に示す略８角形状等の他の形状としてもよく、穴２はブーツの胴部Ｔを挿通可能な形状であればよい。
また、棚１は図１に示す鋼線又は鋼パイプを折り曲げて形成するものではなく、図３（ｂ）に示す合成樹脂製又は木製等の板状のものに穴２，…及び切欠部３，…を形成してもよい。
以上のような図３（ａ）及び図３（ｂ）のような棚１であっても図１の棚１と同様の作用効果を奏する。
【００２０】
さらに、棚１は、図１、図３（ａ）及び図３（ｂ）のように切欠部３，…を形成する構成に限定されるものではなく、図３（ｃ）のように切欠部３，…を無くしてもよい。
図３（ｃ）のように棚１に切欠部３，…が無い構成であっても、穴２，…に胴部を挿通することができることから、胴部を棚１の穴２に挿通してブーツを立てた状態で保持しながら収納することができるため、型崩れ及び皺の発生並びに擦れによる傷の発生を抑制しながら、見栄えのよい状態で収納することができる。
ただし、棚１に切欠部３，…を形成する構成の方が、上述のとおり、ブーツの収納及び取出しが容易になるため、より好ましい実施態様である。
【００２１】
図４に示す本発明の実施の形態に係る履物収納具Ａは、図１のような立掛けタイプではなく収納箱タイプのものであり、箱本体５内に棚１，…を備えている。
箱本体５は、平面視矩形の底板６、この底板６の左右両側に配設された側面視矩形の左側板７及び右側板８、これら底板６及び側板７，８の後端に配設された正面視（背面視）矩形の背板９、並びに、側板７，８及び背板９の上端に配設された平面視矩形の天板１０により構成され、左右の側板７，８の内面に取り付けた図示しない掛止金具上に棚１，…が載置される。
ここで、箱本体５の前面開口を塞ぐ扉や引戸を備える構成としてもよい。
【００２２】
図４のような履物収納具Ａであっても、図１の履物収納具Ａと同様にブーツの胴部を棚１の穴２に挿通して立てた状態で保持しながら収納することができるため、型崩れ及び皺の発生並びに擦れによる傷の発生を抑制しながら、見栄えのよい状態で収納することができる等の図１の履物収納具Ａと同様の効果を奏する。
また、収納箱タイプの履物収納具は臭気が籠もりやすいものであるが、図４のような収納箱タイプの履物収納具Ａでは棚１，…に穴２，…が形成されていることから、上下方向の通気性が良く空気が対流しやすいため、臭気が籠もりにくいとともに、履物の底等に付着した泥等が底板６上に集まるため、掃除をしやすいという特徴がある。
【００２３】
以上の説明においては、履物収納具Ａが図１のような立掛けタイプ又は図４のような収納箱タイプである場合を示したが、履物収納具Ａは左右の自立スタンドにより棚１，…を支持する自立スタンドタイプ等であってもよく、履物収納具Ａは図１及び図３に示すような棚１の単又は複数を備えたものであればよい。
【符号の説明】
【００２４】
Ａ  履物収納具
Ｂ１  ロングブーツ
Ｂ２  ハーフブーツ
Ｂ  ブーツ底
Ｔ  胴部
ＦＬ  床面
Ｓ  短靴
Ｗ  壁
１  棚
２  穴
３  切欠部
４  立掛けフレーム
４Ａ  壁当て緩衝材
４Ｂ  床当て緩衝材
５  箱本体
６  底板
７，８  側板
９  背板
１０  天板
【図１】
2010273760.tif 000003
【図２】
2010273760.tif 000004
【図３】
2010273760.tif 000005
【図４】
2010273760.tif 000006